(57)【要約】【課題】ケーブルアッセンブリに対して容易かつ確実に検査をすることができるケーブル検査用アダプタを提供する。【解決手段】ネットワークアナライザ６０とケーブルアッセンブリ２０との間に接続されるケーブルアダプタ１（１Ａ，１Ｂ）において、一方の端部に雌コネクタ２のシールド部材である雌アウター導体４と電気的に接続され、他方の端部にＳＭＡ雄コネクタ１５が取り付けられている同軸ケーブル１０を備える。【選択図】図５
2012052992.tif 000002
【特許請求の範囲】
【請求項１】
導体からなる芯線の周囲に絶縁体を挟んで金属シールド部が設けられているケーブルと、前記ケーブルの両端に取り付けられて前記芯線と電気的に接続される端子および前記金属シールド部と電気的に接続されるシールド部材が設けられているコネクタと、を備えているケーブルアッセンブリと、前記ケーブルアッセンブリの電気的特性を測定する測定器と、の間に接続されるケーブル検査用アダプタであって、
前記測定器および前記コネクタと着脱自在に構成され、前記コネクタの前記シールド部材および前記測定器の信号線と電気的に接続されるとともに、前記コネクタの前記端子とは絶縁されているシールド検査部を備えていることを特徴とするケーブル検査用アダプタ。
【請求項２】
前記コネクタの前記端子および前記測定器の信号線と電気的に接続されているとともに、前記コネクタの前記シールド部材とは絶縁されている芯線検査部を備えていることを特徴とする請求項１に記載のケーブル検査用アダプタ。
【請求項３】
前記シールド検査部と前記芯線検査部とのうちいずれを前記測定器の信号線と電気的に接続するかを切り替える切替手段を備えていることを特徴とする請求項２に記載のケーブル検査用アダプタ。
【発明の詳細な説明】
【技術分野】
【０００１】
本発明は、ケーブルの両端にコネクタが設けられたケーブルアッセンブリと、そのケーブルアッセンブリの電気的特性を測定する測定器との間に接続されるケーブル検査用アダプタに関する。
【背景技術】
【０００２】
同軸ケーブルやツイストペアケーブルのように、内部の導線を金属箔や編組などで覆ったケーブルはシールドケーブルと呼ばれている。
【０００３】
このシールドケーブルのうち、例えばツイストペアケーブルは、信号線となる導体からなる芯線の周囲が絶縁体で被覆された電線を２本撚り合わせたツイストペア線を一対以上と、ツイストペア線の外周に金属細線を多数編んだ編組をシールド層として配し、さらにその外側を絶縁樹脂などで形成された外皮で覆っている。
【０００４】
このようなツイストペアケーブルなどのシールドケーブルは、高周波信号の伝送に使用されることが多い。そして、ケーブルの両端にプラグ（コネクタ）を取り付けたケーブルアッセンブリの検査工程では、導通だけではなく伝送特性も測定し評価する。
【０００５】
ケーブルアッセンブリの検査工程は、例えば次のように行われる。まず、ケーブルアッセンブリの両端を測定器としてのネットワークアナライザに接続し、入力信号の周波数に対する伝送特性を測定し、測定データを検査規定値と比較し、合格または不合格を判定する。
【０００６】
ケーブルのシールド層である編組は、ケーブル端でプラグのシールド部品に接続されてケーブルアッセンブリのシールド層を形成する。しかしプラグにシールド部品の未装着やケーブル編組の断線により、両端のプラグ間でシールドが繋がっていない（電気的に接続されていない）場合がある。この場合、グランド不良のまま検査されることになるため、正しい検査データが得られないこととなる。
【０００７】
また、万一検査が合格になり、シールド層が断線したケーブルアッセンブリを出荷してしまうと、そのケーブルアッセンブリを使用したシステムでは、部分的にケーブルの特性インピーダンスが変化し信号品質が劣化したり、シールド不良によるケーブルからのノイズが放出されたり、ケーブルアッセンブリ両端のグランドレベルに差が生じ、システム全体からノイズが放出されてしまうといった問題が発生する。
【０００８】
そのような問題に対応するためにケーブルの断線などを検査する方法として、例えば特許文献１、２に記載の方法が提案されている。特許文献１に記載の方法は、ケーブルの片端でシールド層と信号線を短絡して導通を測定している。特許文献２に記載の方法は、外皮に静電気ノイズを印加し、芯線に生じた信号を検出している。
【先行技術文献】
【特許文献】
【０００９】
【特許文献１】特開平５−１８０８９３号公報
【特許文献２】特開２００３−１８５６９４号公報
【発明の概要】
【発明が解決しようとする課題】
【００１０】
しかしながら、特許文献１に記載の方法では、ケーブルの両端にプラグ（コネクタ）が取り付けられたケーブルアッセンブリへの適用が考慮されていない。そのため、プラグのシールド部品が当該プラグの内側にある場合は信号線と接続することが難しいという問題がある。
【００１１】
また、特許文献２に記載の方法では、ケーブルアッセンブリの特性評価とは別に専用の検査装置と工程が必要となってしまう。また、ケーブルに沿って静電気発生装置を移動させるために検査時間が長く、電圧印加による絶縁層破壊の可能性もある。
【００１２】
そこで、本発明は、ケーブルアッセンブリに対して容易かつ確実に検査をすることができるケーブル検査用アダプタを提供することを課題とする。
【課題を解決するための手段】
【００１３】
上記課題を解決するためになされた請求項１に記載の発明は、導体からなる芯線の周囲に絶縁体を挟んで金属シールド部が設けられているケーブルと、前記ケーブルの両端に取り付けられて前記芯線と電気的に接続される端子および前記金属シールド部と電気的に接続されるシールド部材が設けられているコネクタと、を備えているケーブルアッセンブリと、前記ケーブルアッセンブリの電気的特性を測定する測定器と、の間に接続されるケーブル検査用アダプタであって、前記測定器および前記コネクタと着脱自在に構成され、前記コネクタの前記シールド部材および前記測定器の信号線と電気的に接続されるとともに、前記コネクタの前記端子とは絶縁されているシールド検査部を備えていることを特徴とするケーブル検査用アダプタである。
【００１４】
請求項２に記載の発明は、請求項１に記載の発明において、前記コネクタの前記端子および前記測定器の信号線と電気的に接続されているとともに、前記コネクタの前記シールド部材とは絶縁されている芯線検査部を備えていることを特徴とするものである。
【００１５】
請求項３に記載の発明は、請求項２に記載の発明において、前記シールド検査部と前記芯線検査部とのうちいずれを前記測定器の信号線と電気的に接続するかを切り替える切替手段を備えていることを特徴とするものである。
【発明の効果】
【００１６】
以上説明したように請求項１に記載の発明によれば、測定器およびコネクタと脱着自在に構成され、コネクタのシールド部材および測定器の信号線と電気的に接続されているとともに、コネクタの端子とは絶縁されているシールド検査部を備えているので、ケーブルアッセンブリと測定器の間に接続するだけで容易かつ確実にシールドの断線の有無を測定することができる。
【００１７】
請求項２に記載の発明によれば、コネクタの端子および測定器の信号線と電気的に接続されているとともに、コネクタのシールド部材とは絶縁されている芯線検査部を備えているので、シールドだけでなくケーブルの芯線の電気的特定も合わせて測定することができる。また、信号線の検査工程でシールド層の評価を行うことができるので、作業効率を向上させることができる。また、信号線の伝送特性を測定する測定器を用いてシールド層を評価するために、新たな測定器が不要である。さらに、信号線の伝送特性を測定する前にシールド層を評価することができるので、信号線の正確な特性を測定することができる。
【００１８】
請求項３に記載の発明によれば、シールド検査部と芯線検査部とのうちいずれを測定器の信号線と電気的に接続するかを切り替える切替手段を備えているので、切替手段を切り替えるのみでよく、測定器の信号線の繋ぎ替えなどを行う必要がなくなる。
【図面の簡単な説明】
【００１９】
【図１】本発明の一実施形態にかかるケーブル検査アダプタが接続されるケーブルアッセンブリの平面図である。
【図２】図１に示されたケーブルアッセンブリの雄コネクタの正面図と雄コネクタとケーブルの接続部分を示す断面図である。
【図３】本発明の一実施形態にかかるケーブル検査アダプタの平面図である。
【図４】図３に示されたケーブル検査アダプタの雌コネクタの正面図と雌コネクタとケーブルの接続部分を示す断面図である。
【図５】図１に示されたケーブルアッセンブリを図３に示されたケーブル検査アダプタを用いて測定する際の構成図である。
【図６】図５に示された構成で測定した測定結果を示すグラフである。
【図７】本発明の他の実施形態にかかるケーブル検査アダプタの平面図である。
【図８】本発明の他の実施形態にかかるケーブル検査アダプタの平面図である。
【発明を実施するための形態】
【００２０】
次に、本発明の一実施形態を図１ないし図６を参照して説明する。
【００２１】
まず、本発明の一実施形態にかかるケーブルアダプタ１が接続されるケーブルアッセンブリ２０は、図１に示すように、ケーブル２１と、雄コネクタ２２と、を備えている。
【００２２】
ケーブル２１は、図２（ｂ）の断面図に示したように、信号線２３、２４、２５、２６と、編組２７と、外皮２８と、を備えている。
【００２３】
信号線２３は、導体で形成された芯線２３ａの周囲が絶縁性の外皮で覆われている。信号線２４、２５、２６も同様である。また、信号線２３、２４、２５、２６は、互いに撚り合わせされており、二対のツイストペア線を構成する。金属シールド部としての編組２７は、金属細線を多数編んで構成され、信号線２３、２４、２５、２６の外周にシールド層として設けられる。外皮２８は、編組２７の外側を覆い絶縁性の樹脂などで形成されている。すなわち、ケーブル２１は、ツイストペアケーブルとなっている。
【００２４】
雄コネクタ２２は、図１に示したようにケーブル２１の両端に取り付けられ、図２に示したように雄ケース２９と、雄アウター導体３０と、雄インナー導体３１、３２、３３、３４と、雄絶縁体３５と、を備えている。
【００２５】
雄ケース２９は、絶縁性の樹脂などで略円筒形に形成され、一方の端部にケーブル２１の端部が挿入（圧入）されている。
【００２６】
雄アウター導体３０は、金属などの導体で形成されて雄ケース２９の内周面に沿うように設けられケーブル２１の編組２７と接することで電気的に接続されている。すなわち、雄アウター導体３０は、シールド部材として機能する。したがって、この雄アウター導体３０と編組２７でケーブルアッセンブリ２０のシールド層を構成する。図２に示したように、雄アウター導体３０は雄ケース２９の内側に設けられているため、テスタープローブ等を確実に接触させるのは困難である。
【００２７】
雄インナー導体３１は、雄ケース２９の内部に収容されており、金属などの導体で棒状に形成されている。雄インナー導体３１は、一方の端部が雄ケース２９の他方の端部側の開口部に向かって突出するように設けられ、他方の端部には信号線２３の芯線２３ａが電気的に接続されている。雄インナー導体３２、３３、３４も同様に構成され、他方の端部には信号線２４、２５、２６の芯線２４ａ、２５ａ、２６ａがそれぞれ電気的に接続されている。すなわち、雄インナー導体３１、３２、３３、３４は雄コネクタ２２の端子として機能する。
【００２８】
雄絶縁体３５は、絶縁性の樹脂などで略円盤状に形成され、雄ケース２９の内部に雄アウター導体３０および雄インナー導体３１、３２、３３、３４をそれぞれ絶縁するように設けられている。雄絶縁体３５は、雄ケース２９をケーブル２１が挿入される部分と後述する雌コネクタ２が挿入される部分とを隔てるとともに、雄インナー導体３１、３２、３３、３４を通して雄インナー導体３１と雄インナー導体３４、雄インナー導体３２と雄インナー導体３３が対角に配置されるように固定している。
【００２９】
本発明の一実施形態にかかるケーブル検査アダプタとしてのケーブルアダプタ１は、図３や図４に示したように、雌コネクタ２と、同軸ケーブル１０、１１、１２、１３，１４と、ＳＭＡ雄コネクタ１５、１６、１７、１８、１９と、を備え、ケーブルアッセンブリ２０の雄コネクタ２２と後述するネットワークアダプタのケーブル６１、６３と着脱自在に構成されている。
【００３０】
雌コネクタ２は、図４に示したように、雌ケース３と、雌アウター導体４と、雌インナー導体５、６、７、８と、雌絶縁体９と、を備えている。
【００３１】
雌ケース３は、絶縁性の樹脂などで略円筒形に形成され、一方の端部から同軸ケーブル１０、１１、１２、１３、１４が導出している。また、雌ケース３は、上述した雄コネクタ２２と嵌合した際に雄ケース２９の一部を内部に収容するために、雌ケース３の内径は、雄ケース２９の外径よりも大きく形成されている。
【００３２】
シールド検査部としての雌アウター導体４は、金属などの導体で有底筒状に形成されて雌ケース３の内部に設けられている。また、雌アウター導体４は雄コネクタ２２と嵌合した際に雄アウター導体３０と接触するために、雌アウター導体４の外径は、雄アウター導体３０の内径と略同じに形成されている。すなわち、雌アウター導体４は、雌コネクタのシールド部材として機能する。
【００３３】
芯線検査部としての雌インナー導体５は、雌ケース３の内部に収容されており、金属などの導体で有底筒状に形成されている。雌インナー導体５は、開口部が雌ケース３の他方の端部側の開口部に向かって設けられ、底部には同軸ケーブル１１の導体１１ａが電気的に接続されている。また、雌インナー導体５は、雄コネクタ２２と嵌合した際に雄インナー導体３１を内部に収容して電気的に接続する。芯線検査部としての雌インナー導体６、７、８も同様に構成され、底部には同軸ケーブル１２、１３、１４の導体１２ａ、１３ａ、１４ａがそれぞれ電気的に接続されている。
【００３４】
雌絶縁体９は、絶縁性の樹脂などで形成され、雌アウター導体４および雌インナー導体５、６、７、８をそれぞれ絶縁するように雌アウター導体４の内部に設けられている。雌絶縁体９は、雄インナー導体３１と雄インナー導体３４、雄インナー導体３２と雄インナー導体３３が対角に配置されるように雌アウター導体４に充填され固定している。
【００３５】
シールド検査部としての同軸ケーブル１０は、図４（ｂ）に示したように、図示しない絶縁体で覆われた導体で形成された芯線１０ａの周囲に編組１０ｂが設けられ、さらに編組１０ｂの周囲を外皮１０ｃが覆っている。同軸ケーブル１０は、一方の端部では芯線１０ａと雌コネクタ２の雌アウター導体４が電気的に接続され、他方の端部では芯線１０ａとＳＭＡ（Sub Miniature Type A）雄コネクタ１５と電気的に接続されている。したがって、同軸ケーブル１０とＳＭＡ雄コネクタ１５と雌アウター導体４とは電気的に接続されることとなり、ケーブルアッセンブリ２０の雄コネクタ２２と嵌合することによって、雌アウター導体４と雄アウター導体３０（つまりシールド部材）とが電気的に接続される。また、雌インナー導体５、６、７、８とは雌絶縁体９で絶縁されているために、雌インナー導体５、６、７、８と接続する雄インナー導体３１、３２、３３、３４（信号線２３、２４、２５、２６）とも絶縁される。
【００３６】
芯線検査部としての同軸ケーブル１１は、図４（ｂ）に示したように、図示しない絶縁体で覆われた導体で形成された芯線１１ａの周囲に編組１１ｂが設けられ、さらに編組１１ｂの周囲を外皮１１ｃが覆っている。同軸ケーブル１１は、一方の端部では芯線１１ａと雌コネクタ２の雌インナー導体５が電気的に接続され、他方の端部では芯線１１ａとＳＭＡ雄コネクタ１６が電気的に接続されている。芯線検査部としての同軸ケーブル１２、１３、１４も同様に構成され、一方の端部では芯線１２ａと雌インナー導体６、芯線１３ａと雌インナー導体７、芯線１４ａと雌インナー導体８がそれぞれ電気的に接続され、他方の端部では芯線１２ａとＳＭＡ雄コネクタ１７、芯線１３ａとＳＭＡ雄コネクタ１８、芯線１４ａとＳＭＡ雄コネクタ１９が電気的に接続されている。したがって、例えば、同軸ケーブル１１とＳＭＡ雄コネクタ１６と雌インナー導体５とは電気的に接続されることとなり、ケーブルアッセンブリ２０の雄コネクタ２２と嵌合することによって、雌インナー導体５と雄インナー導体３１（つまり端子）とが電気的に接続される。また、雌アウター導体４とは雌絶縁体９で絶縁されているために、雌アウター導体４と接続する雄アウター導体３０（編組２７）とも絶縁される。同軸ケーブル１２、１３、１４も同様である。
【００３７】
次に、上述した構成のケーブルアッセンブリ２０をケーブルアダプタ１を用いて検査する方法を図５を参照して説明する。
【００３８】
まず、測定器としてのネットワークアナライザ６０の信号出力側の端子に信号線としてのケーブル６１を接続し、ネットワークアナライザ６０の信号入力側の端子に信号線としてのケーブル６３を接続する。次に、ケーブルアッセンブリ２０の一方の雄コネクタ２２をケーブルアダプタ１Ａの雌コネクタ２に挿入して両者を繋ぎ（嵌合し）、ケーブルアッセンブリ２０の他方の雄コネクタ２２をケーブルアダプタ１Ｂの雌コネクタ２に挿入して両者を繋ぐ。そして、ケーブル６１の先端に設けられているＳＭＡ雌コネクタ６１ａをケーブルアダプタ１ＡのＳＭＡ雄コネクタ１５へ挿入して両者を繋ぎ、ケーブル６３の先端に設けられているＳＭＡ雌コネクタ６３ａをケーブルアダプタ１ＢのＳＭＡ雄コネクタ１５へ挿入して両者を繋ぐ。このように接続することで、図５に示したように、ネットワークアナライザ６０、ケーブル６１、ケーブルアダプタ１Ａ、ケーブルアッセンブリ２０、ケーブルアダプタ１Ｂ、ケーブル６３、ネットワークアナライザ６０と接続される。
【００３９】
図５の接続では、ケーブルアダプタ１Ａ、１ＢはＳＭＡ雄コネクタ１５にネットワークアナライザ６０のケーブル６１、６３を接続しているので、ネットワークアナライザ６０から信号がＳＭＡ雄コネクタ１５、芯線１０ａ、雌アウター導体４、雄アウター導体３０、編組２７、雄アウター導体３０、雌アウター導体４、芯線１０ａ、ＳＭＡ雄コネクタ１５と伝わりネットワークアナライザ６０へ戻る経路が形成される。すなわち、ケーブルアッセンブリ２０のシールド層の導通を確認するための経路が形成されることとなる。
【００４０】
次に、ネットワークアナライザ６０を操作して測定を実行する。図６に測定結果例を示す。図６は、横軸に周波数、縦軸に反射特性を示したグラフである。ケーブルアッセンブリ２０のシールドが導通しているとＤＣ成分が伝わるので、反射特性グラフの周波数０Ｈｚはマイナスになる。また、ケーブルアッセンブリ２０のシールドが断線しているとＤＣ成分が伝わらないので、反射特性グラフの周波数０Ｈｚは０になる。このように反射特性の測定結果からシールド層の導通を確認することができる。
【００４１】
次に、シールド層の測定結果が正常だった場合は、ＳＭＡ雌コネクタ６１ａをケーブルアダプタ１ＡのＳＭＡ雄コネクタ１５から外してＳＭＡ雄コネクタ１６へ繋ぎ、ＳＭＡ雌コネクタ６３ａをケーブルアダプタ１ＢのＳＭＡ雄コネクタ１５から外してＳＭＡ雄コネクタ１６へ繋ぐ。このようにすると、ネットワークアナライザ６０から信号がＳＭＡ雄コネクタ１５、芯線１１ａ、雌インナー導体５、雄インナー導体３１、芯線２３ａ（信号線２３）、雄インナー導体３１、雌インナー導体５、芯線１１ａ、ＳＭＡ雄コネクタ１５と伝わりネットワークアナライザ６０へ戻る経路が形成される。すなわち、ケーブルアッセンブリ２０の信号線２３を確認するための経路が形成されることとなる。そして、ネットワークアナライザ６０で測定を行い、測定結果から信号線の検査結果を判断する。
【００４２】
以降同様にして、ＳＭＡ雄コネクタ１７（信号線２４）、ＳＭＡ雄コネクタ１８（信号線２５）、ＳＭＡ雄コネクタ１９（信号線２６）と順次繋ぎ変えて測定し、検査結果を判断する。
【００４３】
本実施形態によれば、ネットワークアナライザ６０とケーブルアッセンブリ２０との間に接続されるケーブルアダプタ１において、一方の端部に雌コネクタ２のシールド部材である雌アウター導体４と電気的に接続され、他方の端部にＳＭＡ雄コネクタ１５が取り付けられている同軸ケーブル１０を備えている。そのため、ケーブルアッセンブリ２０の雄コネクタ２２のシールド部材である雄アウター導体３０およびネットワークアナライザ６０に接続されるケーブル６１、６３と電気的に接続されるとともに、ケーブルアッセンブリ２０の雄コネクタ２２の雄インナー導体３１、３２、３３、３４とは絶縁されるので、ケーブルアッセンブリ２０とネットワークアナライザ６０の間にケーブルアダプタ１を接続するだけで容易かつ確実にシールド層の断線の有無を測定することができる。
【００４４】
また、ケーブルアダプタ１に、一方の端部に雌コネクタ２の端子である雌インナー導体５、６、７、８と電気的に接続され、他方の端部にＳＭＡ雄コネクタ１６、１７、１８、１９が取り付けられている同軸ケーブル１１、１２、１３、１４を備えているので、シールド層だけでなく、ケーブルアッセンブリ２０の信号線２３、２４、２５、２６の測定を行って検査結果の判定を行うことができる。
【００４５】
また、信号線の検査工程でシールド層の評価を行うことができるので、作業効率を向上させることができる。また、信号線の伝送特性を測定するネットワークアナライザ６０を用いてシールド層を評価するために、新たな測定器が不要である。さらに、信号線の伝送特性を測定する前にシールド層を評価することができるので、信号線の正確な特性を測定することができる。
【００４６】
上述した実施形態では、ケーブルアッセンブリ２０の雄コネクタ２２の雄インナー導体３１、３２、３３、３４、つまり端子が対角に配置されていたが、端子が水平に配置されている場合は、図７に示したように基板を用いた構成とすることができる。
【００４７】
図７に示したケーブルアダプタ４０は、基板４１と、雌コネクタ４２と、ＳＭＡ雄コネクタ４３、４４、４５、４６と、を備えている。
【００４８】
基板４１は、均等な厚みを有する絶縁性の部材であって略矩形状に形成されている。雌コネクタ４２は、基板４１の図中右端に設けられ、図示しない雄インナー導体が水平に配置されているケーブルアッセンブリ２０の雄コネクタ２２と接続可能に端子（雌インナー導体）が配置されている。ＳＭＡ雄コネクタ４３、４４は、基板４１の図中上端から突出して設けられ、ＳＭＡ雄コネクタ４５、４６は、基板４１の図中左端から突出して設けられ、ＳＭＡ雄コネクタ４７は、基板４１の図中下端から突出して設けられている。
【００４９】
基板４１上には、配線４８、４９、５０、５１、５２が形成されている。配線４８は、一方の端部が雌コネクタ４２の図示しないシールド部材である雌アウター導体と電気的に接続され、他方の端部がＳＭＡ雄コネクタ４３と電気的に接続されている。配線４９は、一方の端部が雌コネクタ４２の図示しない端子である雌インナー導体と電気的に接続され、他方の端部がＳＭＡ雄コネクタ４４と電気的に接続されている。配線５０は、一方の端部が雌コネクタ４２の図示しない端子である雌インナー導体と電気的に接続され、他方の端部がＳＭＡ雄コネクタ４５と電気的に接続されている。配線５１は、一方の端部が雌コネクタ４２の図示しない端子である雌インナー導体と電気的に接続され、他方の端部がＳＭＡ雄コネクタ４６と電気的に接続されている。配線５２は、一方の端部が雌コネクタ４２の図示しない端子である雌インナー導体と電気的に接続され、他方の端部がＳＭＡ雄コネクタ４７と電気的に接続されている。
【００５０】
なお、配線４９、５０は一対のツイストペア線の信号線と対応する雌インナー導体に接続され、配線５１、５２は別の一対のツイストペア線の信号線と対応する雌インナー導体に接続される。
【００５１】
上述した構成のケーブルアダプタ４０は、図５に示した構成と同様に接続、つまり、雌コネクタ４２にケーブルアッセンブリ２０の雄コネクタ２２が接続し、ＳＭＡ雄コネクタ４３、４４、４５、４６、４７のいずれか一つにネットワークアナライザ６０に接続することでケーブルアッセンブリ２０のシールドや信号線の測定を行うことができる。
【００５２】
また、上述した実施形態では、シールドや各信号線といった測定対象の切り替えは、ケーブルアダプタ１からネットワークアナライザ６０に接続されたケーブル６１、６３を繋ぎ換えることで切替えていたが、図８に示したように切替手段としての切り替え器７０を用いることで、繋ぎ換えをすることなく測定対象を切替えることができる。切り替え器７０としては例えばマイクロ波スイッチなどを使用することができる。
【００５３】
また、図７のように基板４１を用いた場合は、基板４１上に切替手段としての切り替えスイッチ回路等を設けることで図８と同様に繋ぎ換えをすることなく測定対象を切替えることができる。
【００５４】
また、本発明は、ツイストペアケーブルに限らず同軸ケーブルなどの他のシールドケーブルに適用することができる。
【００５５】
また、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００５６】
１            ケーブルアダプタ（ケーブル検査アダプタ）
２            雌コネクタ（シールド測定部、芯線測定部）
１０          同軸ケーブル（シールド測定部）
１１〜１４    同軸ケーブル（芯線測定部）
１５          ＳＭＡ雄コネクタ（シールド測定部）
１６〜１９    ＳＭＡ雄コネクタ（芯線測定部）
２０          ケーブルアッセンブリ
２１          ケーブル
２２          雄コネクタ（コネクタ）
２３ａ〜２６ａ       芯線
２７          編組（金属シールド部）
３０          雄アウター導体（シールド部材）
３１〜３４    雄インナー導体（端子）
６０          ネットワークアナライザ（測定器）
６１、６３    同軸ケーブル（測定器の信号線）
７０          切り替え器（切替手段）
【図１】
2012052992.tif 000003
【図２】
2012052992.tif 000004
【図３】
2012052992.tif 000005
【図４】
2012052992.tif 000006
【図５】
2012052992.tif 000007
【図６】
2012052992.tif 000008
【図７】
2012052992.tif 000009
【図８】
2012052992.tif 000010